(57)【要約】【課題】  貫通孔５を有する絶縁基板２と、この絶縁基板の上面側に配設された金属板製の調節用ロータ３と、前記絶縁基板の下面に密接した金属板による中端子電極板４と、この中端子電極板に前記貫通孔内に嵌まるように一体に設けた軸部９とを備え、前記軸部の上端に、前記ロータを回転自在に装着する一方、前記ロータを、その外周の一部における折り返し連結部１２を介して一体的に連結して成る第１プレート１１と第２プレート１３との二枚重ねに構成し、更に、前記中端子電極板に、前記絶縁基板の上面に突出して前記ロータを回転したとき前記折り返し連結部が接当するストッパー片１０を設けて成るチップ型可変式電子部品において、前記ストッパー片１０が、これに前記折り返し連結部が接当したときにおける倒れ強度と、前記中端子電極板の絶縁基板に対する固着強度との向上を図る。【解決手段】  前記ストッパー片１０に、前記絶縁基板の上面に接当して前記中端子電極板とで前記絶縁基板を挟持する接当片１９を一体に備えている。【選択図】                    図２
2005333024.tif 000002
【特許請求の範囲】
【請求項１】
貫通孔を有する絶縁基板と、この絶縁基板の上面側に配設された金属板製の調節用ロータと、前記絶縁基板の下面に密接した金属板による中端子電極板と、この中端子電極板に前記貫通孔内に嵌まるように一体に設けた軸部とを備え、前記軸部の上端に、前記ロータを回転自在に装着する一方、前記ロータを、その外周の一部における折り返し連結部を介して一体的に連結して成る第１プレートと第２プレートとの二枚重ねに構成し、更に、前記中端子電極板に、前記絶縁基板の上面に突出して前記ロータを回転したとき前記折り返し連結部が接当するストッパー片を設けて成るチップ型可変式電子部品において、
前記ストッパー片に、前記絶縁基板の上面に接当して前記中端子電極板とで前記絶縁基板を挟持する接当片を一体に備えていることを特徴とするチップ型可変式電子部品。
【請求項２】
前記請求項１の記載において、前記チップ型可変式電子部品が、前記絶縁基板に前記貫通孔を中心とする円弧状の抵抗膜と、この抵抗膜の両端に対する外端子電極とを設け、更に、前記調節用ロータに前記抵抗膜に対して摺動自在に接触する摺動子を設けて成る構成であることを特徴とするチップ型可変抵抗器。
【発明の詳細な説明】
【技術分野】
【０００１】
本発明は、チップ型にした絶縁基板の上面に、例えば、抵抗値又はコンデンサ容量等を調節するためのロータを回転可能に装着して成るチップ型の可変式電子部品及び可変抵抗器に関するものである。
【背景技術】
【０００２】
前記可変式電子部品の代表であるところのチップ型可変式抵抗器は、従来から良く知られているように、チップ型にしてその中心に貫通孔を設けて成る絶縁基板の上面に、抵抗膜を、前記貫通孔を中心とする円弧状に形成し、この絶縁基板に、前記円弧状抵抗膜の両端に対する外端子電極を設け、前記絶縁基板の下面には、前記貫通孔内に嵌まる軸部を一体に備えた金属板製の中端子電極板を配設する一方、前記絶縁基板の上面には、前記抵抗膜に接触する摺動子を備えて成る金属板製の調節用ロータを、前記軸部の上端に被嵌したのち前記軸部の上端をかしめ付ける等することで回転自在に装着し、このロータの内部に、当該ロータを回転するドライバー工具を受け入れるように構成している。
【０００３】
ところで、前記調節用ロータには、当該ロータの回転を所定の回転角度の範囲内に規制するためのストッパー機構が必要である。
【０００４】
そこで、先行技術としての特許文献１は、前記金属板製のロータを、その外周の一部における折り返し連結部を介して一体的に連結して成る第１プレートと第２プレートとを二枚重ねした構成にする一方、前記絶縁基板の下面に配設した中端子電極板に、前記絶縁基板の上面に突出するストッパー片を設けて、前記ロータの回転に際して、このロータにおける前記折り返し連結部を、前記ストッパー片に接当することによって、前記ロータの回転角度を規制するように構成している。
【特許文献１】特開平１１−１６７１０号公報
【発明の開示】
【発明が解決しようとする課題】
【０００５】
しかし、前記特許文献１におけるストッパー片は、中端子電極板から上向きに折り曲げただけの構成であることにより、当該ストッパー片が前記ロータの回転によって、当該回転方向に倒れ変形するときの強度、つまり、倒れ強度が弱く、この倒れ強度を向上するには、前記中端子電極板の板厚さを厚くするか、前記ストッパー片における前記ロータの回転方向に沿っての幅寸法を広くしなれければならないが、これらの方法は、重量のアップ及び大型化を招来するばかりか、前記ストッパー片を幅広にして場合には、前記ロータにおける回転角度を狭めることになり、また、中端子電極板の板厚さを厚くした場合には、当該中端子電極板における打ち抜きプレス加工が困難になるという問題があった。
【０００６】
しかも、前記特許文献１において、その中端子電極板における絶縁基板の下面に対する固着は、専ら、この中端子電極板に設けた軸部の上端に対してロータをかしめ付け等にて装着することのみに依存するという構成であるから、この中端子電極板の絶縁基板に対する固着強度が低いという問題もあった。
【０００７】
本発明は、これらの問題を解消したチップ型の可変式電子部品及び可変抵抗器を提供することを技術的課題とするものである。
【課題を解決するための手段】
【０００８】
この技術的課題を達成するため本発明の請求項１は、
「貫通孔を有する絶縁基板と、この絶縁基板の上面側に配設された金属板製の調節用ロータと、前記絶縁基板の下面に密接した金属板による中端子電極板と、この中端子電極板に前記貫通孔内に嵌まるように一体に設けた軸部とを備え、前記軸部の上端に、前記ロータを回転自在に装着する一方、前記ロータを、その外周の一部における折り返し連結部を介して一体的に連結して成る第１プレートと第２プレートとの二枚重ねに構成し、更に、前記中端子電極板に、前記絶縁基板の上面に突出して前記ロータを回転したとき前記折り返し連結部が接当するストッパー片を設けて成るチップ型可変式電子部品において、
前記ストッパー片に、前記絶縁基板の上面に接当して前記中端子電極板とで前記絶縁基板を挟持する接当片を一体に備えている。」
ことを特徴としている。
【０００９】
また、本発明の請求項２は、
「前記請求項１の記載において、前記チップ型可変式電子部品が、前記絶縁基板に前記貫通孔を中心とする円弧状の抵抗膜と、この抵抗膜の両端に対する外端子電極とを設け、更に、前記調節用ロータに前記抵抗膜に対して摺動自在に接触する摺動子を設けて成る構成である。」
ことを特徴としている。
【発明の効果】
【００１０】
前記調節用ロータを回転したときにその折り返し連結部が接当するストッパー片に、前記絶縁基板の上面に接当して前記中端子電極板とで前記絶縁基板を挟持する接当片を一体に備えていることにより、前記スットパー片における前記ロータの回転方向への倒れ強度を、従来のように当該ストッパー片を幅広にしたり或いは中端子電極板の板厚さを厚くすることなく、これに一体的に設けた接当片の絶縁基板の上面への接当にて大幅に向上できるから、電子部品の小型・軽量化を図ることができるとともに、前記ロータを回転することができる回転角度を、従来の場合によりも増大できる。また、前記中端子電極板の板厚さを厚くする必要がないから、この中端子電極板における打ち抜きプレス加工性を向上することができる。
【００１１】
しかも、中端子電極板と前記接当片とで絶縁基板を挟持することにより、前記中端子電極板の絶縁基板に対する固着強度を、従来のように、中端子電極板に設けた軸部の上端に対してロータをかしめ付け等にて装着することのみに依存する場合よりも大幅に向上できる。
【００１２】
特に、請求項２に記載した構成によると、チップ型可変抵抗器を、前記した効果を有するものに構成することができる利点がある。
【発明を実施するための最良の形態】
【００１３】
以下、本発明の実施の形態を、チップ型可変抵抗器に適用した場合の図面（図１〜図４）について説明する。
【００１４】
これらの図において、符号１は、チップ型可変抵抗器を示し、このチップ型可変抵抗器１は、セラミック等の耐熱絶縁材料にてチップ型に構成した絶縁基板２と、この絶縁基板２の上面に配設した調節用ロータ３と、前記絶縁基板２の下面に配設した中端子電極板４とで構成されている。
【００１５】
前記絶縁基板２には、その略中心に上面から下面に貫通する貫通孔５が穿設され、その上面に抵抗膜６が前記貫通孔５を中心として円弧状に延びるように形成され、且つ、この絶縁基板２における一側面２ａには、前記抵抗膜５の両端に対する外端子電極７，８が設けられている。
【００１６】
前記中端子電極板４は、金属板製で前記絶縁基板２の下面に密接しており、前記貫通孔５の部分には、当該貫通孔５内に挿入される中空状の軸部９が一体的に設けられているとともに、前記絶縁基板２の他側面２ｂの部分に上向きに折り曲げて成るストッパー片１０が一体的に設けられている。
【００１７】
一方、前記ロータ３は、金属板にて外周にフランジを有する椀型に形成した第１プレート１１と、この第１プレート１１に対して折り返し連結部１２を介して一体に連結した平板状の第２プレート１３とから成り、前記第２プレート１３は、これに十字状のドライバー係合孔１４が穿設され、前記折り返し連結部１２から前記第１プレート１０の上面に重なるように折り返し状に折り曲げられている一方、前記第１プレート１０における外周のフランジには、前記折り返し連結部１２と反対側の部分に略半円弧状に延びるスリット孔１５が穿設されて、このスリット孔１５より外側の部分が、前記抵抗膜５に対して弾性的に接触する摺動子１６に構成されている。
【００１８】
前記ロータ３は、これを前記絶縁基板２における上面側に、当該ロータ３の第１プレート１０における底板１７に穿設した装着孔１８を前記中空状の軸部９の上端に被嵌し、且つ、その底板１７の下面が前記絶縁基板２の上面に密接し、更に、その摺動子１６が前記抵抗膜５に弾性的に接触するように供給したのち、前記軸部９の上端を、外向きに広げるようにかしめ付けることにより、前記軸部９に対して、当該軸部９を中心軸として自在に回転するように装着されている。
【００１９】
また、前記ロータ３を、その内部に前記ドライバー係合孔１４に係合するように挿入したドライバー工具により左右の方向に回転するとき、このロータ３における前記折り返し連結部１２を、図４に示すように、前記ストッパー片１０に接当することにより、前記ロータ３の回転を所定の回転角度θの範囲内に規制するように構成している。
【００２０】
そして、前記ストッパー片１０の上端には、下向きに折り返して成る接当片１９を一体に設けて、この接当片１９を、前記絶縁基板２の上面に接当することにより、前記絶縁基板２を、その下面に密接する中端子電極板４と、その上面に接当する前記接当片１９とで挟持するように構成する。
【００２１】
なお、前記中端子電極板４のうち前記軸部９の部分は、板厚さを薄くして、その下面に、前記軸部９の内部を塞ぐためのフィルム２０が貼着されている。
【００２２】
前記した構成において、前記中端子電極板４に一体的に設けたストッパー片１０は、これに一体的に設けた接当片１９と、前記中端子電極板４とで絶縁基板２を上下両面から挟持していることにより、前記ストッパー片１０が、前記ロータ３の回転方向に倒れるときにおける強度を、これに一体的に設けた接当片１９の絶縁基板２の上面への接当にて大幅に向上できる。
【００２３】
これに加えて、前記した構成により、前記中端子電極板４の前記絶縁基板２に対する固着は、この中端子電極板４に一体的に設けた軸部９に対する前記ロータ３のかしめ付けによる装着と、前記ストッパー片１０に一体的に設けた接当片１９による絶縁基板２の挟持との二箇所において行われることになる。
【００２４】
なお、前記した実施の形態においては、前記ロータ３における第１プレート１１のうち前記絶縁基板２に対して接触する底板１７の板厚さを、元の板厚さＴ０からＴ１に薄くするように構成している。
【００２５】
このように構成することにより、ロータ３における高さ寸法Ｈ１を、そのロータ３における底板１７の板厚さを元の板厚さＴ０からＴ１に薄くした分だけ、当該ロータ３内へのドライバー工具の受け入れ深さＷを浅くしない状態のもとで、低くすることができるから、チップ型可変抵抗器１の全高さ寸法Ｈを低くできるとともに、前記ストッパー片１０における絶縁基板２の上面からの突出高さが、前記ロータ３における高さ寸法Ｈ１を低くできる分だけ低くなって、当該ストッパー片１０における倒れ強度を向上できる。
【００２６】
次に、図５及び図６は、前記ストッパー片における別の実施の形態を示す。
【００２７】
この実施の形態は、前記絶縁基板２の下面に配設した中端子電極板４′に、前記絶縁基板２の上面に接当する折り返し片４ａ′を設けて、この折り返し片４ａ′の左右両側に、上向きへの折り曲げ片４ｂ′を設け、この両上向き折り曲げ片４ｂ′に、前記ロータ３における折り返し連結部１２が接当するするように構成したものである。
【００２８】
この別実施の形態において、前記折り返し片４ａ′が、前記絶縁基板２の上面に接当する接当片になる一方、前記上向き折り曲げ片４ｂ′が、ロータ３の回転に際して、当該ロータ３における折り返し連結部１２が接当するストッパー片になることにより、ロータの回転に際して、当該ロータにおける折り返し連結部が接当するストッパー片に、前記絶縁基板の上面に接当して前記中端子電極板とで前記絶縁基板を挟持する接当片を一体に備えている構成になっているから、前記と同様の効果を得ることができる。
【００２９】
また、図８〜図１０は、前記ストッパー片における更に別の実施の形態を示す。
【００３０】
この実施の形態は、前記絶縁基板２の下面に配設した中端子電極板４″に、前記絶縁基板２の上面側への折り曲げ片４ａ″を一体に設け、この折り曲げ片４ａ″の両側に内向きへの折り曲げ片４ｂ″を設け、この内向きの折り曲げ片４ｂ″を、前記絶縁基板２の上面に接当する接当片に構成するとともに、前記ロータ３における折り返し連結部１２が接当するストッパー片に構成したものである。
【００３１】
この更に別の実施の形態において、前記内向きの折り曲げ片４ｂ″が、ロータ３の回転に際して、当該ロータ３における折り返し連結部１２が接当するストッパー片と、前記絶縁基板２の上面に接当して前記中端子電極板４″とで前記絶縁基板２を挟持する接当片との両方を兼ねていることにより、ロータにおける折り返し連結部が接当するストッパー片に、前記絶縁基板の上面に接当して前記中端子電極板とで前記絶縁基板を挟持する接当片を一体に備えている構成になっているから、前記と同様の効果を得ることができる。
【図面の簡単な説明】
【００３２】
【図１】本発明の実施の形態による可変抵抗器の平面図である。
【図２】図１のII−II視断面図である。
【図３】図２の分解図である。
【図４】ロータを回転したときの平面図である。
【図５】ストッパー片の変形例を示す断面図である。
【図６】図５の右側面図である。
【図７】ストッパー片の別の変形例を示す平面図である。
【図８】図７の右側面図である。
【図９】図７のIX−IX視断面図である。
【符号の説明】
【００３３】
１                チップ型可変抵抗器
２                絶縁基板
３                調節用ロータ
４，４′，４″    中端子電極板
５                貫通孔
６                抵抗膜
７，８            外端子電極
９                軸部
１０              ストッパー片
１１              第１プレート
１２              折り返し連結部
１３              第２プレート
１４              ドライバー係合孔
１６              摺動子
１９              接当片
【図１】
2005333024.tif 000003
【図２】
2005333024.tif 000004
【図３】
2005333024.tif 000005
【図４】
2005333024.tif 000006
【図５】
2005333024.tif 000007
【図６】
2005333024.tif 000008
【図７】
2005333024.tif 000009
【図８】
2005333024.tif 000010
【図９】
2005333024.tif 000011